(57)【要約】【課題】装置本体の上部に設けられた回動可能な開閉体の開姿勢をアームで維持する構成を備えた記録装置において、開閉体の円滑な操作を確保する。【解決手段】インクジェットプリンター１は、用紙に記録を行う記録部２の上部にスキャナ部３を開閉可能に備えている。スキャナ部３は、アーム１７によって開姿勢が維持される。スキャナ部３が開姿勢から閉姿勢へ回動する際、アーム１７の下端に設けられた被案内部１７ｃは、ガイドレール１６ａによって移動方向に案内されつつ案内面１６ｂ上を摺動するので、被案内部１７ｃが案内面１６ｂ上を摺動する際の円滑性が確保され、その結果スキャナ部３を、ユーザーに引っ掛かり感を与えることなく円滑に回動（開閉）させることができる。【選択図】図５
2013146992.tif 000002
【特許請求の範囲】
【請求項１】
媒体に記録を行う記録手段を備える装置本体と、
前記装置本体の上部において回動可能に設けられ、回動することにより前記装置本体の上部を開閉可能な開閉体と、
一端側が前記開閉体に回動可能に支持され、他端側が前記装置本体の支持部に支持されることにより前記開閉体の開姿勢を維持するアームと、を備え、
前記開閉体が開姿勢から閉姿勢へ回動する際に、前記アームの他端側に設けられた被案内部が前記装置本体側の案内面上を移動する構成を備え、
前記案内面には、前記被案内部を当該被案内部の移動方向に案内するガイド形状が設けられている、
ことを特徴とする記録装置。
【請求項２】
請求項１に記載の記録装置において、前記装置本体には、前記開閉体の閉姿勢において前記アームを収容する収容室が設けられ、
前記収容室は、底部に前記案内面を備えるとともに、上部に前記アームが入り込む開口部を備え、
前記アームは、前記開閉体の閉姿勢において傾斜状態で前記収容室に収容される、
ことを特徴とする記録装置。
【請求項３】
請求項２に記載の記録装置において、前記被案内部が、前記収容室の開口部内側と係合可能に形成されたことにより、当該被案内部が、前記アームの他端側先端部の、前記収容室からの抜けを防止する抜け止め機能を備える、
ことを特徴とする記録装置。
【請求項４】
請求項１から３のいずれか１項に記載の記録装置において、前記被案内部は、前記開閉体が開姿勢にあるときに前記案内面から離間しており、前記開閉体が開姿勢から閉姿勢へ回動する際に前記案内面に対して離間状態から接触状態に移り、前記案内面上を移動する、
ことを特徴とする記録装置。
【請求項５】
請求項１から４のいずれか１項に記載の記録装置において、前記被案内部において前記案内面と接する面が凸球面状或いは筒面状に形成されている、
ことを特徴とする記録装置。
【請求項６】
請求項１から５のいずれか１項に記載の記録装置において、前記案内面において前記被案内部と接触する際の接触面積が、前記開閉体が開姿勢から閉姿勢へ回動する際の前記被案内部の移動方向に沿って増加する様に構成されている、
ことを特徴とする記録装置。
【請求項７】
請求項１から４のいずれか１項に記載の記録装置において、前記被案内部が、回転可能なローラーにより構成されている、
ことを特徴とする記録装置。
【請求項８】
請求項７に記載の記録装置において、前記ローラーが所定の回転抵抗を備え、当該回転抵抗が、前記開閉体が開姿勢から閉姿勢に向けて回動する際に前記開閉体に制動を与える構成を備える、
ことを特徴とする記録装置。
【請求項９】
請求項１から６のいずれか１項に記載の記録装置において、前記被案内部が前記案内面上を摺接する際の摩擦力が、前記開閉体が開姿勢から閉姿勢に向けて回動する際に前記開閉体に制動を与える構成を備える、
ことを特徴とする記録装置。
【請求項１０】
請求項１から９のいずれか１項に記載の記録装置において、前記開閉体が閉姿勢に切り換わる際に前記アームの他端側に設けられた被押圧部を押圧する押圧手段を備え、
前記押圧部が前記被押圧部を押圧することにより、前記開閉体が閉じる際に前記開閉体に制動を与える構成を備える、
ことを特徴とする記録装置。
【請求項１１】
請求項１から１０のいずれか１項に記載の記録装置において、前記被案内部の前記案内面に対する移動範囲において前記開閉体が開姿勢から閉姿勢へ回動する際の終端位置手前に、前記被案内部が乗り越える段差が設けられている、
ことを特徴とする記録装置。
【請求項１２】
請求項１１に記載の記録装置において、前記段差が、前記記録装置の筐体を構成する２つのフレームの継ぎ目によって形成されている、
ことを特徴とする記録装置。
【発明の詳細な説明】
【技術分野】
【０００１】
本発明は、ファクシミリやプリンターに代表される記録装置に関し、特に装置本体の上部において回動可能に設けられ、回動することにより開閉可能な開閉体を備える記録装置に関する。
【背景技術】
【０００２】
ファクシミリやプリンターに代表される記録装置においては、記録機能の他に、画像読取機能を備えた所謂複合機と呼ばれるものがある。即ち、記録用紙に記録を行う記録装置の本体上部に、スキャナユニットが設けられている。
【０００３】
スキャナユニットは、記録装置本体に対して回動可能に設けられ、回動することにより、開姿勢と閉姿勢とを切り換え可能となっている。スキャナユニットは、通常使用時には閉姿勢で保持されるが、例えば記録装置本体内部で紙ジャムが生じた場合のジャム処理の際や、インクカートリッジ交換の際に、スキャナユニットが開かれる様になっている。
【０００４】
従ってスキャナユニットは、開姿勢を維持できる様に設けられており、開姿勢を維持する為の手段として、特許文献１に示される様な支持部材（アーム或いは支柱などとも言う）が採用される場合もある。
【先行技術文献】
【特許文献】
【０００５】
【特許文献１】特開２００９−２３９７５２号公報
【発明の概要】
【発明が解決しようとする課題】
【０００６】
近年、記録装置においては小型化の要請が強く、特に装置の高さ方向寸法を小さく抑えることが望まれている。この場合、スキャナユニットの開姿勢を維持する支持部材にも小型化が要請されるが、支持部材を小型化してしまうと、スキャナユニットを大きく開くことができず、ジャム処理作業やインクカートリッジ交換作業の作業性が低下してしまうことになる。
【０００７】
その一方で、装置の高さ方向寸法を小さくしつつ、スキャナユニットの回動角を確保するために支持部材の寸法を維持すると、スキャナユニットを開姿勢から閉姿勢に切り替える際に支持部材の下端部が装置本体の底部に当接するので、支持部材下端部が装置本体の底部に引っ掛かる虞があり、スキャナユニットを開姿勢から閉姿勢に切り替える際の円滑な操作が妨げられる虞がある。
【０００８】
そこで本発明はこの様な状況に鑑みなされたものであり、その目的は、装置本体の上部に設けられた回動可能な開閉体の開姿勢をアーム（支持部材）で維持する構成を備えた記録装置において、開閉体の円滑な操作を確保することにある。
【課題を解決するための手段】
【０００９】
上記課題を解決する為の、本発明の第１の態様に係る記録装置は、媒体に記録を行う記録手段を備える装置本体と、前記装置本体の上部において回動可能に設けられ、回動することにより前記装置本体の上部を開閉可能な開閉体と、一端側が前記開閉体に回動可能に支持され、他端側が前記装置本体の支持部に支持されることにより前記開閉体の開姿勢を維持するアームと、を備え、前記開閉体が開姿勢から閉姿勢へ回動する際に、前記アームの他端側に設けられた被案内部が前記装置本体側の案内面上を移動する構成を備え、前記案内面には、前記被案内部を当該被案内部の移動方向に案内するガイド形状が設けられていることを特徴とする。
【００１０】
本態様によれば、開閉体の開姿勢を維持するアームの被案内部を案内する案内面には、前記被案内部をその移動方向に案内するガイド形状が設けられているので、前記開閉体の回動に伴って前記被案内部が前記案内面上を移動する際の円滑性が確保される。その結果、前記開閉体を、ユーザーに引っ掛かり感を与えることなく円滑に回動(開閉）させることができる。
【００１１】
本発明の第２の態様は、第１の態様において、前記装置本体には、前記開閉体の閉姿勢において前記アームを収容する収容室が設けられ、前記収容室は、底部に前記案内面を備えるとともに、上部に前記アームが入り込む開口部を備え、前記アームは、前記開閉体の閉姿勢において傾斜状態で前記収容室に収容されることを特徴とする。
【００１２】
本態様によれば、前記アームは、前記開閉体の閉姿勢において傾斜状態で前記収容室に収容されるので、前記アームの長さが長い場合であっても適切にこれを収容することができる。
【００１３】
本発明の第３の態様は、第２の態様において、前記被案内部が、前記収容室の開口部内側と係合可能に形成されたことにより、当該被案内部が、前記アームの他端側先端部の、前記収容室からの抜けを防止する抜け止め機能を備えることを特徴とする。
【００１４】
本態様によれば、前記被案内部が、前記アームの他端側先端部の、前記収容室からの抜けを防止する抜け止め機能を備えるので、前記アームの抜け止め手段を別途設ける構成に比して構造の簡素化と低コスト化を図ることができる。
【００１５】
本発明の第４の態様は、第１から第３の態様のいずれかにおいて、前記被案内部は、前記開閉体が開姿勢にあるときに前記案内面から離間しており、前記開閉体が開姿勢から閉姿勢へ回動する際に前記案内面に対して離間状態から接触状態に移り、前記案内面上を移動することを特徴とする。
【００１６】
本態様によれば、前記被案内部は、前記開閉体が開姿勢にあるときに前記案内面から離間しており、前記開閉体が開姿勢から閉姿勢へ回動する際に前記案内面に対して離間状態から接触状態に移り、前記案内面上を移動するので、前記開閉体の回動可能角を大きく設定することができる。
【００１７】
本発明の第５の態様は、第１から第４の態様のいずれかにおいて、前記被案内部において前記案内面と接する面が凸球面状或いは筒面状に形成されていることを特徴とする。  
本態様によれば、前記被案内部において前記案内面と接する面が凸球面状或いは筒面状に形成されているので、前記被案内部が前記案内面に対して引っ掛かりなく滑らかに摺接することができる。
【００１８】
本発明の第６の態様は、第１から第５の態様のいずれかにおいて、前記案内面において前記被案内部と接触する際の接触面積が、前記開閉体が開姿勢から閉姿勢へ回動する際の前記被案内部の移動方向に沿って増加する様に構成されていることを特徴とする。
【００１９】
本態様によれば、前記案内面において前記被案内部と接触する際の接触面積が、前記開閉体が開姿勢から閉姿勢へ回動する際の前記被案内部の移動方向に沿って増加するので、前記開閉体が開姿勢から閉姿勢に向けて回動する際に前記被案内部と前記案内面との間の摩擦力が次第に大きくなり、これによって前記開閉体が開姿勢から閉姿勢に向けて回動する際に勢いよく回動し装置本体に強く衝突することを防止することができる。
【００２０】
本発明の第７の態様は、第１から第４の態様のいずれかにおいて、前記被案内部が、回転可能なローラーにより構成されていることを特徴とする。  
本態様によれば、前記被案内部が、回転可能なローラーにより構成されているので、前記被案内部が前記案内面に対して引っ掛かりなく滑らかに移動することができる。
【００２１】
本発明の第８の態様は、第７の態様において、前記ローラーが所定の回転抵抗を備え、当該回転抵抗が、前記開閉体が開姿勢から閉姿勢に向けて回動する際に前記開閉体に制動を与える構成を備えることを特徴とする。
【００２２】
本態様によれば、前記ローラーが所定の回転抵抗を備え、当該回転抵抗が、前記開閉体が開姿勢から閉姿勢に向けて回動する際に前記開閉体に制動を与える構成を備えるので、前記開閉体が開姿勢から閉姿勢に向けて勢いよく回動し装置本体に強く衝突することを防止することができる。
【００２３】
本発明の第９の態様は、第１から第６の態様のいずれかにおいて、前記被案内部が前記案内面上を摺接する際の摩擦力が、前記開閉体が開姿勢から閉姿勢に向けて回動する際に前記開閉体に制動を与える構成を備えることを特徴とする。
【００２４】
本態様によれば、前記被案内部が前記案内面上を摺接する際の摩擦力が、前記開閉体が開姿勢から閉姿勢に向けて回動する際に前記開閉体に制動を与える構成を備えるので、前記開閉体が開姿勢から閉姿勢に向けて勢いよく回動し装置本体に強く衝突することを防止することができる。
【００２５】
本発明の第１０の態様は、第１から第９の態様のいずれかにおいて、前記開閉体が閉姿勢に切り換わる際に前記アームの他端側に設けられた被押圧部を押圧する押圧手段を備え、前記押圧部が前記被押圧部を押圧することにより、前記開閉体が閉じる際に前記開閉体に制動を与える構成を備えることを特徴とする。
【００２６】
本態様によれば、前記開閉体が閉じる際に前記アームが押圧手段により押圧されることで、前記開閉体が閉じる際に前記開閉体に制動が加わるので、前記開閉体が閉じる際に顕著な衝突音が生じることを防止することができる。
【００２７】
本発明の第１１の態様は、第１から第１０の態様のいずれかにおいて、前記被案内部の前記案内面に対する移動範囲において前記開閉体が開姿勢から閉姿勢へ回動する際の終端位置手前に、前記被案内部が乗り越える段差が設けられていることを特徴とする。
【００２８】
本態様によれば、前記被案内部の前記案内面に対する移動範囲において前記開閉体が開姿勢から閉姿勢へ回動する際の終端位置手前に、前記被案内部が乗り越える段差が設けられているので、ユーザーが前記開閉体を閉じる際にクリック感を生じさせることができ、ユーザーの操作感を向上させることができる。
【００２９】
本発明の第１２の態様は、第１１の態様において、前記段差が、前記記録装置の筐体を構成する２つのフレームの継ぎ目によって形成されていることを特徴とする。本態様によれば、前記段差が、フレームの継ぎ目によって形成されているので、前記段差を形成する為の専用の構成要素を設ける必要がなく、装置のコストアップを回避することができる。
【図面の簡単な説明】
【００３０】
【図１】本発明に係るインクジェットプリンターの外観斜視図（スキャナ部クローズ状態）。
【図２】本発明に係るインクジェットプリンターの外観斜視図（スキャナ部オープン状態）。
【図３】アームが入り込む開口部の斜視図。
【図４】アームが入り込む収容室の断面図（アーム側面図）。
【図５】アームが入り込む収容室の断面斜視図（アーム斜視図）。
【図６】収容室内部でのアーム先端部の斜視図。
【図７】アームが入り込む収容室の断面斜視図（第２実施形態）。
【図８】アームが入り込む収容室の断面斜視図（第３実施形態）。
【図９】アームが入り込む収容室の断面斜視図（第４実施形態）。
【発明を実施するための形態】
【００３１】
以下、本発明の一実施形態を図面に基づいて説明するが、本発明は、以下説明する実施形態に限定されることなく、特許請求の範囲に記載した発明の範囲内で種々の変形が可能であり、それらも本発明の範囲内に含まれるものであることを前提として、以下本発明の一実施形態を説明するものとする。
【００３２】
図１は、本発明に係る記録装置の一例としてのインクジェットプリンター１の外観斜視図（スキャナ部３クローズ状態）、図２は同外観斜視図（スキャナ部３オープン状態）、図３はアーム１７が入り込む開口部１５ａの斜視図、図４はアーム１７が入り込む収容室Ａの断面図（アーム１７側面図）、図５はアーム１７が入り込む収容室Ａの断面斜視図（アーム１７斜視図）、図６は収容室Ａ内部でのアーム１７先端部の斜視図である。  
更に、図７〜図９はアーム１７が入り込む収容室の断面斜視図であり、図７は第２実施形態、図８は第３実施形態、図９は第４実施形態、をそれぞれ示している。
【００３３】
図１及び図２において、インクジェットプリンター１は、媒体の一例としての記録用紙にインクジェット記録を行う記録部２の上部に「開閉体」或いは「回動体」としてのスキャナ部３を備えており、即ちインクジェット記録機能に加えてスキャナ機能を備える複合機として構成されている。
【００３４】
スキャナ部３は、記録部２に対して回動可能に設けられており、回動することにより、閉じた状態（図１）と開いた状態（図２）とをとり得る。そしてスキャナ部３が開くことにより、キャリッジ１１に搭載されたインクカートリッジ（不図示）の交換作業や、紙ジャムが生じた際のジャム処理作業などが行える様になっている。尚、スキャナ部３が開いた状態を維持する為のアーム（支柱、或いは衝立、或いは支持部材とも言う）１７が設けられているが、これについては後に説明する。
【００３５】
スキャナ部３において上部のカバー４は開閉可能なカバーであり、当該カバー４を開放することにより、スキャナ部３の図示しない原稿台が表れる様になっている。  
装置前面において符号６は記録が行われて排出された用紙を受ける排紙受けトレイである。排紙受けトレイ６は引き出し式に構成され、図１及び図２は収納された状態を示している。
【００３６】
符号９は、電源ボタンや各種印刷設定・記録実行を行う操作ボタン、印刷設定内容や印刷画像のプレビュー表示などを行う表示部、等を備えて成る操作部であり、符号８は当該操作部を備えるパネルユニットである。このパネルユニット８は、スキャナ部３に設けられており、スキャナ部３の回動に従ってスキャナ部３と一体に変位する様になっている。
【００３７】
図２において符号１１はキャリッジであり、このキャリッジ１１の底部に記録ヘッド１２が設けられている。キャリッジ１１が用紙幅方向に移動する過程において記録ヘッド１２からインクが吐出されることにより、用紙に記録が実行される。尚、用紙搬送経路において記録ヘッド１２の上流側には、用紙を搬送する搬送手段（不図示）が設けられ、またこの搬送手段の上流側には、用紙を搬送手段へと給送する給送手段（不図示）が設けられている。
【００３８】
続いて、スキャナ部３が開いた状態を維持する為のアーム１７について説明する。アーム１７は、その一端側（上側）が、スキャナ部３に対してアーム取付部１４を介して回動可能に支持されている（図２において符号１７ａは、アーム１７の回動軸を示している）。そしてスキャナ部３が開いた状態において、アーム１７の他端側（下側）が、記録部２の筐体を構成する上部ハウジング１５に形成された支持部１５ｂに支持されることにより、スキャナ部３の開いた状態が維持される様になっている。
【００３９】
アーム１７は、図示しない付勢手段によって装置手前側（図４において右側）に回動する方向に（図４において反時計回り方向）付勢された状態となっている。アーム１７において支持部１５ｂによって支持される被支持部１７ｂは、アーム１７において装置手前側に形成されており、従って被支持部１７ｂと支持部１５ｂとがより確実に係合できる様になっている。
【００４０】
図３に示す様に、上部ハウジング１５において支持部１５ｂは、開口部１５ａの手前側に設けられている。そしてアーム１７は、スキャナ部３の開閉状態に拘わらず下側先端部が開口部１５ａの内側に形成された収容室Ａ（図４、図５）に入り込む様になっており、そしてスキャナ部３が閉じられた状態では、アーム１７の全体が図４、図５に示す様に収容室Ａに傾斜姿勢で収容される様になっている。従ってアーム１７が長い場合であっても、適切にこれを収容することができる。
【００４１】
図４及び図５を参照しつつ、アーム１７と収容室Ａの構成について更に説明する。アーム１７には、下端側先端部に被案内部１７ｃが形成されている。被案内部１７ｃは、アーム１７の長手方向に対して直交する方向（図６において左右方向）に突出する様な突起状を成し、アーム１７の長手方向に対して直交する方向の両側に設けられている。
【００４２】
被案内部１７ｃは、アーム１７の先端を構成する腕部１７ｅに設けられており、この腕部１７ｅの弾性変形により、２つの被案内部１７ｃは、互いに接近する方向に僅かに変位できる様になっている。これにより、被案内部１７ｃは、上部ハウジング１５の開口部１５ａから収容室Ａ内に入り込める様になっており、且つ、入り込んだ後は、被案内部１７ｃが開口部１５ａの内側、具体的には開口縁部１５ｃ（図３）に係合できる様になっている。即ち、被案内部１７ｃが、アーム１７下端の、収容室Ａからの抜けを防止する抜け止め機能を発揮する様になっている。
【００４３】
ところで、スキャナ部３が閉じた状態において、上述の様にアーム１７は収容室Ａ内において傾斜姿勢で収容されるが、スキャナ部３が開姿勢から閉姿勢へ回動する際に、アーム１７の下端に設けられた被案内部１７ｃが、収容室Ａ内の底面を構成する案内面１６ｂに対して離間状態から接触状態に移り、そしてスキャナ部３の回動に従って被案内部１７ｃが案内面１６ｂ上を移動する様になっている（図４の矢印方向：図４において仮想線及び符号１７’で示すアームの状態から、実線及び符号１７で示すアームの状態への変位）。
【００４４】
尚、本実施形態では、スキャナ部３が開いた状態において被案内部１７ｃが案内面１６ｂから離間しているが、スキャナ部３が開いた状態において被案内部１７ｃが案内面１６ｂに接していても良い。しかしながら、スキャナ部３が開いた状態において被案内部１７ｃが案内面１６ｂから離間し、その後スキャナ部３の回動に従って被案内部１７ｃが案内面１６ｂに接する様に構成することで、スキャナ部３の回動可能角を大きく設定できる。
【００４５】
案内面１６ｂは、上部ハウジング１５の底面と、上部ハウジング１５と接続する下部ハウジング１６の底面とで形成されており、また案内面１６ｂに沿って、被案内部１７ｃを被案内部１７ｃの移動方向（装置前後方向：図４の左右方向）に案内するガイド形状としてのガイドレール１６ａが、下部ハウジング１６に設けられている。
【００４６】
スキャナ部３が開姿勢から閉姿勢へ回動する際、アーム１７の下端に設けられた被案内部１７ｃは、ガイドレール１６ａによって移動方向に案内されつつ案内面１６ｂ上を摺動するので、被案内部１７ｃが移動すべき方向に真っ直ぐに案内される。その結果、被案内部１７ｃが案内面１６ｂ上を摺動する際の円滑性が確保され、スキャナ部３を、ユーザーに引っ掛かり感を与えることなく円滑に回動（開閉）させることができる。
【００４７】
また、本実施形態では、被案内部１７ｃにおいて案内面１６ｂと接する面が筒面状に形成されているので、被案内部１７ｃが案内面１６ｂに対して引っ掛かりなく滑らかに摺接することができる。尚、被案内部１７ｃにおいて案内面１６ｂと接する面は、球面状に形成されていても良い。
【００４８】
尚、案内面１６ｂは、例えばコルク、ゴムなどの高摩擦部材を用い、被案内部１７ｃとの間で高い摩擦係数を発揮する様に形成しても良い。即ち、被案内部１７ｃが案内面１６ｂ上を摺接する際の摩擦力が、スキャナ部３が開姿勢から閉姿勢に向けて回動する際に制動力を発揮する様に構成しても良い。これにより、スキャナ部３が開姿勢から閉姿勢に向けて勢いよく回動し、記録部２に強く衝突することを防止することができ、大きな衝突音の発生やスキャナ部３の故障を防止することができる。
【００４９】
［第２実施形態］
図７は第２実施形態を示している。本実施形態において、アーム１７’の先端には被案内部１８が設けられている。この被案内部１８が上述した被案内部１７ｃと異なるのは、自由回転可能なローラーにより構成されている点である。これにより、被案内部１８は案内面１６ｂ上をより滑らかに移動することができる。
【００５０】
尚、本実施形態において、被案内部１８を構成するローラーが所定の回転抵抗を備える様に構成しても良い。これにより、スキャナ部３が開姿勢から閉姿勢に向けて回動する際に制動力が発揮されるので、スキャナ部３が開姿勢から閉姿勢に向けて勢いよく回動し、記録部２に強く衝突することを防止することができ、大きな衝突音の発生やスキャナ部３の故障を防止することができる。
【００５１】
［第３実施形態］
図８は第３実施形態を示している。本実施形態において、下部ハウジング１６’と上部ハウジング１５との接続部位に段差Ｄが形成され、即ち、被案内部１７ｃの案内面１６ｂ’に対する移動範囲においてスキャナ部３が開姿勢から閉姿勢へ回動する際の終端位置手前に、被案内部１７ｃが乗り越える段差Ｄが設けられている。これにより、ユーザーがスキャナ部３を閉じる際にクリック感を生じさせることができ、ユーザーの操作感を向上させることができる。
【００５２】
［第４実施形態］
図９は第４実施形態を示している。本実施形態においては、押圧手段としてのコイルばね１９が、上部ハウジング１５に設けられたばね取付部１５ｄに取り付けられており、スキャナ部３が閉姿勢に切り換わる際にアーム１７に設けられた被押圧部１７ｅを押圧し、これによりスキャナ部３が閉じる際の衝撃が緩和される様になっている。従ってこれにより、スキャナ部３が閉じる際に当該スキャナ部３が記録部２に強く衝突することを防止することができ、大きな衝突音の発生やスキャナ部３の故障を防止することができる。
【００５３】
以上説明した各実施形態は一例であり、本発明がこれら各実施形態に限られないことは言うまでもない。特に、記録装置本体の上部に設けられる「開閉体」としては、本実施形態で示したスキャナ部３に限られず、カバーや、原稿を搬送する自動原稿搬送装置など、種々のものを適用することができる。
【００５４】
また、案内面１６ｂにおいて被案内部１７ｃと接触する際の接触面積を、スキャナ部３が開姿勢から閉姿勢へ回動する際の被案内部１７ｃの移動方向に沿って増加する様に構成しても良い。これにより、スキャナ部３が開姿勢から閉姿勢に向けて回動する際に被案内部１７ｃと案内面１６ｂとの間の摩擦力が次第に大きくなり、これによってスキャナ部３が開姿勢から閉姿勢に向けて回動する際に勢いよく回動し記録部２に強く衝突することを防止することができる。
【００５５】
また、上記各実施形態では本発明を記録装置の一例としてのインクジェットプリンターに適用したが、その他液体噴射装置一般に適用することも可能である。  
ここで、液体噴射装置とは、インクジェット式記録ヘッドが用いられ、該記録ヘッドからインクを吐出して被記録媒体に記録を行うプリンター、複写機およびファクシミリ等の記録装置に限らず、インクに代えてその用途に対応する液体を前記インクジェット式記録ヘッドに相当する液体噴射ヘッドから被記録媒体に相当する被噴射媒体に噴射して、前記液体を前記被噴射媒体に付着させる装置を含むものである。
【００５６】
液体噴射ヘッドとして、前記記録ヘッドの他に、液晶ディスプレー等のカラーフィルター製造に用いられる色材噴射ヘッド、有機ＥＬディスプレーや面発光ディスプレー（ＦＥＤ）等の電極形成に用いられる電極材（導電ペースト）噴射ヘッド、バイオチップ製造に用いられる生体有機物噴射ヘッド、精密ピペットとしての試料噴射ヘッド等が挙げられる。
【符号の説明】
【００５７】
１  インクジェットプリンター、２  記録部、３  スキャナ部、４  カバー、５  排紙口、６  排紙受けトレイ、８  パネルユニット、９  操作部、１１  キャリッジ、１２  記録ヘッド、１４  アーム取付部、１５  上部ハウジング、１５ａ  開口部、１５ｂ  支持部、１５ｃ  開口縁部、１５ｄ  ばね取付部、１６  下部ハウジング、１６ａ  ガイドレール、１７  アーム、１７ａ  回動軸、１７ｂ  被支持部、１７ｃ  突起、１７ｄ  接触面、１７ｅ  腕部、１７ｆ  被押圧部、１８  ローラー、１９  コイルばね、Ａ  収容室
【図１】
2013146992.tif 000003
【図２】
2013146992.tif 000004
【図３】
2013146992.tif 000005
【図４】
2013146992.tif 000006
【図５】
2013146992.tif 000007
【図６】
2013146992.tif 000008
【図７】
2013146992.tif 000009
【図８】
2013146992.tif 000010
【図９】
2013146992.tif 000011